(57)【要約】      （修正有）【課題】収納が容易で、携帯も便利で、組み立てる必要はなく、すぐ使用でき、生産コストを下げることもでき、サイズが異なる使用済みのビニール袋を合わせて使用することができて、資源の浪費を減らすことができる。【解決手段】動物の糞を掃除する装置に関して、長方形の扁形板を含み、その一端のへり位置に折りたたみの蓋を設置して、折りたたみの蓋が、扁形板と一体化となって、折りたたみの蓋の他の辺が、扁形板と分離して、折りたたみの蓋を下向きで接合させて、活動式に扁形板とロックする。【選択図】図１
0003136564.tif 000002
【実用新案登録請求の範囲】
【請求項１】
長方形の扁形板１を含み、その一端のへり位置に折りたたみの蓋３を設置して、前記折りたたみの蓋は、前記扁形板と一体化となって、しかも前記折りたたみの蓋が、前記扁形板の中央位置に近づいている一端は、前記扁形板としっかりドッキングして、前記折りたたみの蓋の他端は、前記扁形板と分離して、前記折りたたみの蓋は、下を向いて接合できて、しかも前記扁形板とロックすることができることを特徴とする動物の糞を掃除する装置。
【請求項２】
前記折りたたみの蓋３を下向きで接合させるために、前記折りたたみの蓋３が、前記扁形板１と連結する一辺でエンボシング７又は３１又は４１を設けることを特徴とする請求項１に記載の動物の糞を掃除する装置。
【請求項３】
前記扁形板１の中央位置に近づいている処は、開孔２を設けて、前記折りたたみの蓋３による頂辺のへりの一側は、フランジ４を設けて、前記フランジ４は、狭長な突塊であって、前記折りたたみの蓋３と一体化となって、またはそれとしっかりドッキングして、前記折りたたみの蓋３を下向きで接合して、前記フランジ４は、前記開孔２に対応して、活動式に前記開孔２とロックすることを特徴とする請求項１に記載の動物の糞を掃除する装置。
【請求項４】
前記扁形板１の中央位置に近づいている処は、開孔２を設けて、前記折りたたみの蓋３による頂辺のへりの頂端は、フランジ４を設けて、前記フランジ４は、狭長な突部であって、前記折りたたみの蓋３と一体化となって、前記折りたたみの蓋３が、前記扁形板１と連結する一辺でエンボシング７又は３１又は４１を設けて、前記折りたたみの蓋３を下向きで接合させる時、前記フランジ４は、前記開孔２に対応して、しかも活動式に前記開孔２とロックすることを特徴とする請求項１に記載の動物の糞を掃除する装置。
【請求項５】
前記折りたたみの蓋３が頂辺に近づいている処は、開孔６を設けて、前記扁形板１の中央位置に近づいている処は、フランジ４を設けて、前記フランジ４は、狭長な突塊であって、しかも前記扁形板１と一体化となって、またはそれとしっかりドッキングして、前記折りたたみの蓋３を下向きで接合させる時、前記開孔６は、前記フランジ４に対応して、しかも前記フランジ４は、活動式に前記開孔６とロックすることを特徴とする請求項１に記載の動物の糞を掃除する装置。
【請求項６】
前記折りたたみの蓋３が頂辺に近づいている処は、開孔６を設けて、前記扁形板１の中央位置に近づいている処は、フランジ４を設けて、前記フランジ４は、狭長な突部であって、しかも前記扁形板１と一体化となって、前記フランジ４の一辺は、前記扁形板１としっかりドッキングして、そして他の辺は、前記扁形板１と分離して、前記フランジ４は、活動式に接合して、前記折りたたみの蓋３を下向きで接合させる時、前記開孔６は、前記フランジ４に対応して、しかも前記フランジ４は、活動式に前記開孔２とロックすることを特徴とする請求項１に記載の動物の糞を掃除する装置。
【請求項７】
前記扁形板１の他の一端は、開孔２を設けて、当該位置は、前記折りたたみの蓋３が前記折りたたみの蓋３を下向きで接合させない時の位置と対応して、当該形状の大きさは、前記フランジ４の形状と対応して、前記扁形板１はドッキングしている時、前記フランジ４は、活動式に前記開孔６とロックすることを特徴とする請求項３、４のいずれか１項に記載の動物の糞を掃除する装置。
【請求項８】
前記開孔２は、中間へ狭くなってくる開口であることを特徴とする請求項３、４、５、６のいずれか１項に記載の動物の糞を掃除する装置。
【請求項９】
前記扁形板１の他の一端のへりは、斜辺またはぎざぎざを呈することを特徴とする請求項１に記載の動物の糞を掃除する装置。
【請求項１０】
前記扁形板１の底部は、多数の通孔を設けることを特徴とする請求項１に記載の動物の糞を掃除する装置。
【請求項１１】
前記扁形板１の中間位置は、エンボシング７又は３１又は４１を設けることを特徴とする請求項１に記載の動物の糞を掃除する装置。
【請求項１２】
前記扁形板１は、二条のアーチ形のエンボシング７又は３１又は４１を設けて、各の前記アーチ形のエンボシングは、それぞれ前記扁形板底部の左右両端から、前記扁形板頂部に近づく中央の部分まで延伸することを特徴とする請求項１に記載の動物の糞を掃除する装置。
【考案の詳細な説明】
【技術分野】
【０００１】
本考案は、動物の糞を掃除する装置であって、特に容易で携帯できるような動物の糞を掃除する装置に関して、飼育する動物の糞尿を掃除する装置の範囲に属する。
【背景技術】
【０００２】
従来、飼育する猫、犬等の動物をペットとすることは、世界各地で長期にわたる。都市人数の増加に従って、ペットの数量も絶えず上昇している。それによって、ペットの糞尿は、衛生に影響して、臭気を放ち、糞便は、更に道を歩いて行く人の靴、環境等を汚してきて、都市の容貌を破壊する。ペットの糞尿を公衆の場に残すことを防止するために、国は立法化して、ペットの糞尿を公衆の場に残した飼育者を厳重に処罰する。従って、急速に有効に、ペットの糞便をきちんと掃除することが、飼育者に対してとても重要な課題となっている。
【考案の開示】
【考案が解決しようとする課題】
【０００３】
現在、ほとんどのペット飼育者は、廃棄した新聞紙、雑誌またビニール袋を利用して、ペットの糞便を掃除する。普通は、手で新聞紙、雑誌またビニール袋を介して、糞便を掬い上げる。糞便が直接に手に触らないけれど、その動作が不愉快な気持ちをすることが度々ある。例えば、シャベル等の器具を利用して糞便を掃除するなら、一回で使い捨てる器具でない場合、糞便を掃除する器具を洗浄することが必要である。そのため、市場に一回で使い捨てる器具を販売することがある。しかしながら、それらの器具は、複雑な組合せが必要であり、また、更にシャフト或いは支柱を有するため、簡便に収納携帯にも不便となっている。なお、現在の動物の糞を掃除する装置は、ちり紙、ビニール袋またはバックスを付けることがあって、その袋或いはバックスのサイズは限定があるため、糞便の大きさにもかかわらず もし同一大きさの袋或いはボックスを用いると、資源を浪費する。事実現在の動物の糞を掃除する装置は、構造が複雑で、生産コストもいっそう高いので、ほとんどの飼育者は、その販売価格を負担できまない。したがって、低い生産コスト、廉価な販売価格、簡便に携帯できてまた素早く動物の糞を掃除しうる装置が飼育者に望まれる。
【０００４】
前記の問題に対して、本実用新案の目的は、構造が簡単で、実用的で便利な携帯式動物の糞を掃除する装置を提供することであり、又、サイズが異なる及び/若しくは使用済みのビニール袋を使用することができ、資源の浪費を減らすことができ、生産コストを下げることができ、それによって、販売価格を下げることができる。
【課題を解決するための手段】
【０００５】
上記目的を実現するために、動物の糞を掃除する装置を提供して、それは、長方形の扁形板を含み、その一端のへり位置に折りたたみの蓋を設置して、前記折りたたみの蓋は、前記扁形板と一体化され、しかも前記折りたたみの蓋が、前記扁形板の中央位置に近づいている一端は、前記扁形板としっかりドッキングして、前記折りたたみの蓋の他端は、前記扁形板と分離して、前記折りたたみの蓋は、下を向いて接合でき、しかも前記扁形板とロックすることができる。
【０００６】
前記折りたたみの蓋を下向きで接合させるために、前記折りたたみの蓋が、前記扁形板と連結する一辺でエンボシングを設ける。
【０００７】
前記扁形板の中央位置に近づいている処は、開孔を設けて、前記折りたたみの蓋による頂辺のへりの一側は、フランジを設けて、前記フランジは、狭長な突塊であって、前記折りたたみの蓋と一体化となって、またはそれとしっかりドッキングして、前記折りたたみの蓋を下向きで接合させる時、前記フランジは、前記開孔に対応して、しかも活動式に前記開孔とロックする。
【０００８】
前記扁形板の中央位置に近づいている処は、開孔を設けて、前記折りたたみの蓋による頂辺のへりの頂端は、フランジを設けて、前記フランジは、狭長な突部であって、前記折りたたみの蓋と一体化となって、前記折りたたみの蓋が、前記扁形板と連結する一辺でエンボシングを設ける。前記折りたたみの蓋を下向きで接合させる時、前記フランジは、前記開孔に対応して、しかも活動式に前記開孔とロックする。
【０００９】
前記折りたたみの蓋が頂辺に近づいている処は、開孔を設けて、前記扁形板の中央位置に近づいている処は、フランジを設けて、前記フランジは、狭長な突塊であって、しかも前記扁形板と一体化となって、またはそれとしっかりドッキングして、前記折りたたみの蓋を下向きで接合させる時、前記開孔は、前記フランジに対応して、しかも前記フランジは、活動式に前記開孔とロックする。
【００１０】
前記折りたたみの蓋が頂辺に近づいている処は、開孔を設けて、前記扁形板の中央位置に近づいている処は、フランジを設けて、前記フランジは、狭長な突部であって、しかも前記扁形板と一体化となって、前記フランジの一辺は、前記扁形板としっかりドッキングして、そして他の辺は、前記扁形板と分離して、前記フランジは、活動式に接合して、前記折りたたみの蓋を下向きで接合させる時、前記開孔は、前記フランジに対応して、しかも前記フランジは、活動式に前記開孔とロックする。
【００１１】
前記扁形板の他の一端は、開孔を設けて、当該位置は、前記折りたたみの蓋が前記折りたたみの蓋を下向きで接合させない時の位置と対応して、当該形状の大きさは、前記フランジの形状と対応して、前記扁形板はドッキングしている時、前記フランジは、活動式に前記開孔とロックする。
【００１２】
前記開孔は、中間へ狭くなってくる開口であって、固く前記フランジとロックする。
【００１３】
前記扁形板の他の一端のへりは、斜辺またはぎざぎざを呈して、容易に動物の糞便を挟み上げることができる。
【００１４】
前記扁形板の底部は、多数の通孔を設けて、芝生あるいは砂地から糞便を挟み上げる時に便利で余計なくさあるいは砂を隔たることができる。
【００１５】
前記扁形板の中間位置は、エンボシングを設けて、便利に前記扁形板をドッキング収納する。
【００１６】
前記扁形板は、二条のアーチ形のエンボシングを設けて、各の前記アーチ形のエンボシングは、それぞれ前記扁形板底部の左右両端から、前記扁形板頂部に近づく中央の部分まで延伸して、前記扁形板の両側をひっくり返してつぼみ状となって、ひっくり返させることを提供してそして使用者が本実用新案を持つことが便利となって、及び糞便が前記扁形板から漏らすことを防止する。
【００１７】
本実用新案を収納して身につけて携帯している時、本実用新案は、長方形の扁形板であって、少しの空間を占めるので、便利で携帯することができる。ドッキングできる扁形板に対して、フランジを活動式に開孔とロックさせて、扁形板をしっかりドッキングして、しかし更に少しの空間を占めるため、ポケットの中で置くことができる。本実用新案を使用している時、ドッキングした扁形板を開けて、手が折りたたみの蓋を持ってしかも下を向いて時形成された空洞をハンドルとして、また、扁形板を左右のアーチ形のフランジに沿ってひっくり返させて、ひっくり返した辺を持って、そして扁形板の他の一端で糞便を掬い取って、その後扁形板と糞便を共に予備した大きさが適切のビニール袋に入れる。扁形板をひっくりかえしてひっくり返した辺となった場合、扁形板をビニール袋に入れた後、先にひっくり返した辺をアーチ形のエンボシングに沿って押さえて平らにして、そして折りたたみの蓋を下向きで接合させて、ビニール袋の開口辺縁を挟み込ませて、扁形板と活動式にロックして、それによって、調整して全部を併せてゴミ箱に投げ捨てる。
【００１８】
本実用新案は、下記の長所と効果を備えて、
（1）本実用新案が、長方形の扁形板であるため、収納が容易で、携帯も便利で、組み立てる必要はなく、すぐ使用でき、従来技術の不便な携帯性、組み立てる時に時間が掛かることを克服しており、本実用新案は、ペット飼育者がペットをつれて出掛けて散歩している時、速やかに当該糞便を掃除できる装置である。
（2）本実用新案は、循環工業のプラスチックでつくって、その構造が簡単で、しかも有効に生産コストを下げることができて、一回で使い捨て可能な装置であるが、その販売価格は多くのペット飼育者にとって低負担となり、現有技術での高すぎる販売価格の欠点を解決することができる。
（3）本実用新案が、使用済みのビニール袋に合わせて用いて、しかも、ペット飼育者は、そのペットの通常の糞便の大きさによって、大きさが適切なビニールの袋を選択でき、それによって、資源の浪費を減らして、環境保護の問題を改善することに役立って、現有技術における固定の大きさの袋或いはボックスである欠点を克服する。
【考案を実施するための最良の形態】
【００１９】
下記の参照は限定的な実施形態及び図面ではなく、本実用新案を実現することに対して、詳細に説明する。
図１乃至図４は、本実用新案による第一の実施形態の具体結構を示す。その図面に示すように、本実用新案は、長方形の扁形板１を含み、その一端のへり位置に折りたたみの蓋３を設置して、折りたたみの蓋３が、扁形板１と一体化となっているが、他の形状でも許容される。本実施形態の場合は、長方形である。折りたたみの蓋３が、扁形板１の中央位置に近づいている一端は、扁形板１としっかりドッキングして、他端は、扁形板１と分離する。
【００２０】
本実施形態で、折りたたみの蓋３による頂辺のへりの一側は、フランジ４を設けて、フランジ４は、狭長な突塊であって、折りたたみの蓋３と一体化となって、またはそれとしっかりドッキングして、他の実施形態でも、それとしっかりドッキングできる。扁形板１の中央位置に近づいている処は、開孔２を設けて、開孔２は、中間へ狭くなってくる開口であって、他の形状でも許容される。固く前記フランジ４とロックする。折りたたみの蓋３を下向きで接合している時、フランジ４は、開孔２に対応して、活動式に開孔２とロックする。
【００２１】
本実施形態で、折りたたみの蓋３が開孔２に近づく一辺は、扁形板１としっかりドッキングして、エンボシング３１を設けるため、便利的に下向きで接合することができる。扁形板１の中間位置は、エンボシング７を設けて、便利に扁形板１をドッキング収納する。扁形板１の他の一端は、開孔６を設けて、当該位置は、折りたたみの蓋３が下向きで接合させない時、フランジ４の位置と対応して、開孔６形状の大きさは、フランジ４の形状と対応して、扁形板１はドッキングして収納している時、フランジ４は、活動式に開孔６とロックして、携帯に便利である。図２に示すように、扁形板１は、二条のアーチ形のエンボシング１１を設けて、各のアーチ形のエンボシング１１は、それぞれ扁形板１底部の左右両端から、扁形板１頂部に近づく中央の部分まで延伸して、扁形板１の両側をひっくり返してつぼみ状となって、ひっくり返させる辺を提供し、そして使用者が便利に本実用新案を持つことができ、及び糞便が扁形板１から漏らされることを防止する。図３に示すように、扁形板１の他の一端底部は、多数直径が約0.5センチメートルの通孔１０を設けて、芝生あるいは砂地から糞便を挟み上げる時に便利で余計なくさあるいは砂を分けることができる。扁形板１の底部へりは、ぎざぎざ辺５であって、他の実施例の中で、斜辺でも良く、容易に動物の糞便９を掬い取って、適切のビニール袋８に入れることができる。図４に示される。
【００２２】
図５は、本実用新案による第二の実施形態の具体結構を示す。その図面に示すように、本実用新案は、第一の実施形態と類似する。同様に長方形の扁形板１を含み、折りたたみの蓋３も、扁形板１と一体化となって、しかしながら、折りたたみの蓋３による頂辺に近づく処は、開孔１４を設けて、扁形板１の中央位置に近づいている一端は、フランジ１３を設けて、フランジ１３は、狭長な突塊であって、しかも扁形板１と一体化となって、他の実施例の中で、扁形板１としっかりドッキングすることもできる。折りたたみの蓋３を下向きで接合させる時、開孔１４は、フランジ１３に対応して、しかもフランジ１３は、活動式に開孔１４とロックする。本実用新案による他の結構は上記の実用新案と類似するから、詳細な説明を省略する。
【００２３】
図６は、本実用新案による第三の実施形態の具体結構を示する。その図面に示すように、本実用新案は、第二の実施形態と類似する。折りたたみの蓋３による頂辺に近づく処は、開孔１４を設けて、扁形板１の中央位置に近づいている一端は、フランジ１３を設けて、フランジ１３は、狭長な突塊であって、フランジ１３の一辺は、扁形板１としっかりドッキングして、他の辺は、扁形板１と分離して、フランジ１３は、活動式に接合して、折りたたみの蓋３を下向きで接合させる時、開孔１４は、フランジ１３に対応して、しかもフランジ１３は、活動式に開孔１４とロックする。本実用新案による他の結構は上記の実用新案と類似するから、詳細な説明を省略する。。
【００２４】
図７は、本実用新案による第四の実施形態の具体結構を示する。その図面に示すように、本実用新案は、第一の実施形態と類似する。同様に長方形の扁形板１を含み、折りたたみの蓋３も、扁形板１と一体化となって、扁形板１の中央位置に近づいている処は、開孔２を設けて、開孔２は、中間へ狭くなってくる開口であっても良い。折りたたみの蓋３による頂辺の頂端は、フランジ４を設けて、フランジ４は、狭長な突塊であって、折りたたみの蓋３と一体化となって、折りたたみの蓋３と連結する一辺でエンボシング４１を設ける。折りたたみの蓋３を下向きで接合させる時、開孔２は、フランジ４に対応して、しかもフランジ４は、活動式に開孔２とロックする。
【００２５】
本実用新案の操作原理は、本実用新案による第二乃至第四の実施例を収納して身につけて携帯している時、長方形の扁形板１であって、少ない空間を占めるので、便利に携帯することができる。ドッキングできる第一実施例に対して、フランジ４を活動式に開孔６とロックさせて、扁形板１をしっかりドッキングして、しかし更に少しの空間を占めるため、ポケットの中で置くことができる。第一実施例を使用している時、ドッキングした扁形板１を開ける。他の実施例を使用している時、開ける必要はない。そして、手で折りたたみの蓋３を下向きで開ける時形成された空洞がハンドルとされる。アーチ形のエンボシング１１を設ける第一乃至第三の実施例に対して、扁形板１を左右のアーチ形のフランジ１１に沿ってひっくり返させて、ひっくり返した辺１２を持って、そして扁形板１の他の一端で糞便９を掬い取って、その後扁形板１と糞便９を共に予備した大きさが適切のビニール袋８に入れる。そして折りたたみの蓋３を下向きで接合させて、ビニール袋８の開口辺縁を挟み込ませて、扁形板１と活動式にロックして、それによって、調整して全部を併せてゴミ箱に投げ捨てる。
【００２６】
本考案は、実用新案の出願要件を有して、実施例に開示された構造は、簡単に本考案を説明するためのものであって、本考案の範囲を限定するものではない。本考案の明細書でこの技術を分る考案者が、本考案にかかる精神を離れないまました変更は、本考案の類似な構造と見なされて、本考案による請求の範囲に含まれる。
【図面の簡単な説明】
【００２７】
【図１】図１は、本考案に係る第一の実施例の平面図である。
【図２】図２は、図１に示される実施例のドッキング状態を示す図である。
【図３】図３は、図１に示される実施例による両側のエンボシングを開けて袋状になることを示す図である。
【図４】図４は、図１に示される実施例の使用状態を示す図である。
【図５】図５は、本考案に係る第二の実施例の平面図である。
【図６】図６は、本考案に係る第三の実施例の平面図である。
【図７】図７は、本考案に係る第四の実施例の平面図である。
【符号の説明】
【００２８】
１扁形板
２開孔
３折りたたみの蓋
４フランジ
６開孔
７エンボシング
８ビニール袋
９動物の糞便
１０通孔
１１アーチ形のエンボシング
１２ひっくり返した辺
１３フランジ
１４開孔
３１エンボシング
４１エンボシング
【図１】
0003136564.tif 000003
【図２】
0003136564.tif 000004
【図３】
0003136564.tif 000005
【図４】
0003136564.tif 000006
【図５】
0003136564.tif 000007
【図６】
0003136564.tif 000008
【図７】
0003136564.tif 000009